(57)【特許請求の範囲】
【請求項１】
遊技球の入賞を検知する始動入賞手段と、前記始動入賞手段による遊技球の入賞検知を契機に複数種類の図柄を変動させて図柄変動ゲームを実行する演出実行手段と、遊技者が操作可能な演出用操作手段と、を備え、前記図柄変動ゲームで予め決められた大当り表示結果が表示された場合には当該図柄変動ゲームの終了後に遊技球の入球が許容される入賞手段を開放する大当り遊技が付与される遊技機において、
図柄変動ゲーム開始時に、当該図柄変動ゲームが大当りとなるか否かを判定する大当り判定手段と、
当該図柄変動ゲームにおいて大当りになる可能性を示唆する通常予告演出と、前記大当り判定手段の判定結果が肯定の場合にのみ実行され、図柄変動ゲームが確実に大当りになることを予め報知する特別予告演出のうち何れの予告演出を実行するか決定する予告演出決定手段と、
前記予告演出決定手段が決定した通常予告演出又は特別予告演出を前記演出実行手段に実行させる演出制御手段と、
操作有効期間内において前記演出用操作手段が操作された操作態様に基づき、前記大当り判定手段の判定結果が肯定の場合には、前記予告演出決定手段が特別予告演出よりも高確率で通常予告演出を決定する通常モードと、前記大当り判定手段の判定結果が肯定の場合には、前記予告演出決定手段が通常予告演出よりも高確率で特別予告演出を決定する特別モードのうち何れかの演出モードを設定するモード設定手段と、を備え、
図柄変動ゲームが実行されていない場合にはデモンストレーション演出を実行させることができ、前記デモンストレーション演出は、当該デモンストレーション演出の実行中に前記遊技球の入賞が検知されて図柄変動ゲームが実行されることによって終了するとともに、前記デモンストレーション演出が実行されてから所定時間が経過することによっても終了し、
前記モード設定手段は、前記特別モードが設定されている状態で前記デモンストレーション演出が実行される場合、前記所定時間の経過によって前記デモンストレーション演出が終了するまでの間に前記図柄変動ゲームが開始されないときには前記特別モードに代えて前記通常モードを設定することを特徴とする遊技機。
【請求項２】
前記操作有効期間は、前記デモンストレーション演出の実行中に設定され、
前記モード設定手段は、前記デモンストレーション演出の実行中であって、前記操作有効期間中に前記演出用操作手段が操作された場合に前記特別モードを設定するが、前記所定時間の経過によって前記デモンストレーション演出が終了するまでの間に前記図柄変動ゲームが開始されないときには前記特別モードに代えて前記通常モードを設定する請求項１に記載の遊技機。
【請求項３】
遊技球の入賞を検知する始動入賞手段と、前記始動入賞手段による遊技球の入賞検知を契機に複数種類の図柄を変動させて図柄変動ゲームを実行する演出実行手段と、遊技者が操作可能な演出用操作手段と、を備え、前記図柄変動ゲームで予め決められた大当り表示結果が表示された場合には当該図柄変動ゲームの終了後に遊技球の入球が許容される入賞手段を開放する大当り遊技が付与される遊技機において、
図柄変動ゲーム開始時に、当該図柄変動ゲームが大当りとなるか否かを判定する大当り判定手段と、
当該図柄変動ゲームにおいて大当りになる可能性を示唆する通常予告演出と、前記大当り判定手段の判定結果が肯定の場合にのみ実行され、図柄変動ゲームが確実に大当りになることを予め報知する特別予告演出のうち何れの予告演出を実行するか決定する予告演出決定手段と、
前記予告演出決定手段が決定した通常予告演出又は特別予告演出を前記演出実行手段に実行させる演出制御手段と、
操作有効期間内において前記演出用操作手段が操作された操作態様に基づき、前記大当り判定手段の判定結果が肯定の場合には、前記予告演出決定手段が特別予告演出よりも高確率で通常予告演出を決定する通常モードと、前記大当り判定手段の判定結果が肯定の場合には、前記予告演出決定手段が通常予告演出よりも高確率で特別予告演出を決定する特別モードのうち何れかの演出モードを設定するモード設定手段と、を備え、
図柄変動ゲームが実行されていない場合にはデモンストレーション演出を実行させることができ、前記デモンストレーション演出は、当該デモンストレーション演出の実行中に前記遊技球の入賞が検知されて図柄変動ゲームが実行されることによって終了するとともに、前記デモンストレーション演出が実行されてから所定時間が経過することによっても終了し、
前記操作有効期間は、前記デモンストレーション演出の実行中に設定され、
前記モード設定手段は、前記デモンストレーション演出の実行中であって、前記操作有効期間中に前記演出用操作手段が操作された場合に前記特別モードを設定するが、前記所定時間の経過によって前記デモンストレーション演出が終了するまでの間に前記図柄変動ゲームが開始されないときには前記特別モードに代えて前記通常モードを設定する遊技機。
【請求項４】
前記モード設定手段が設定する演出モードには、前記通常モード及び前記特別モードに加えて、予告変化モードがあり、
前記予告変化モードは、前記通常モードにおいて前記通常予告演出として実行される予告演出が前記特別予告演出として実行されるモードであり、
前記特別モードには、前記大当り判定手段の判定結果が肯定のときに前記特別予告演出を決定する確率を前記通常モードよりも高くした第１の特別モードと、前記大当り判定手段の判定結果が肯定のときには前記特別予告演出を必ず決定する第２の特別モードと、を含む請求項１〜請求項３のうち何れか一項に記載の遊技機。
【発明の詳細な説明】
【技術分野】
【０００１】
本発明は、図柄変動ゲームが大当りとなる可能性を示唆する予告演出を行うことが可能な遊技機に関するものである。
【背景技術】
【０００２】
従来、遊技機の一種であるパチンコ遊技機では、遊技盤に配設した始動入賞口への遊技球の入球を契機に大当り判定用の乱数を取得し、当該乱数の値と予め決定された大当り判定値とが一致するか否かの判定によって、大当りか否かの大当り抽選を行っている。また、その大当り抽選の抽選結果を複数列の図柄を変動させて表示する図柄変動ゲームを実行させることにより導出させている。図柄変動ゲームでは、最終的に確定停止表示された大当り図柄である場合、遊技者は大当りを認識し得るようになっている。
【０００３】
一般的に、パチンコ遊技機では、大当り図柄が確定停止表示される前に大当りになることを遊技者が認識することができる「大当り確定の演出」を実行する遊技機がある。このような大当り確定の演出は、大当りになるときに必ず実行される演出としないため、大当りになるよりも大当り確定の演出そのものを体験することは困難となっている。このため、遊技者の中には大当り確定の演出を見てみたいと考える遊技者もいる。そこで、このような大当り確定の演出を表示する確率を変更することができる遊技機もある（特許文献１参照）。特許文献１のパチンコ遊技機では、大当り遊技中のラウンド演出において、リーチ演出の画像を表示させている。そして、大当り遊技の終了後に確変状態が付与される場合には、プレミアリーチ（大当り確定の演出）の画像を表示される確率を高くしている。
【先行技術文献】
【特許文献】
【０００４】
【特許文献１】特開２００２−１４３４７５号公報
【発明の概要】
【発明が解決しようとする課題】
【０００５】
ところで、特許文献１では、大当り遊技終了後に確変状態が付与される大当りに当選しなくては、大当り確定の演出が表示される確率は高くならない。よって、遊技者が大当り確定の演出を見たいと望んでいても、確変状態が付与されるような特定の大当りに当選しなければ、大当り確定の演出を見られる確率が高くなることはなかった。
【０００６】
この発明は、このような従来の技術に存在する問題点に着目してなされたものである。その目的は、大当り確定の演出が実行される確率を高くするか否かを遊技者が自ら決定することができる遊技機を提供することにある。
【課題を解決するための手段】
【０００７】
上記目的を達成するために、請求項１に記載の発明は、遊技球の入賞を検知する始動入賞手段と、前記始動入賞手段による遊技球の入賞検知を契機に複数種類の図柄を変動させて図柄変動ゲームを実行する演出実行手段と、遊技者が操作可能な演出用操作手段と、を備え、前記図柄変動ゲームで予め決められた大当り表示結果が表示された場合には当該図柄変動ゲームの終了後に遊技球の入球が許容される入賞手段を開放する大当り遊技が付与される遊技機において、図柄変動ゲーム開始時に、当該図柄変動ゲームが大当りとなるか否かを判定する大当り判定手段と、当該図柄変動ゲームにおいて大当りになる可能性を示唆する通常予告演出と、前記大当り判定手段の判定結果が肯定の場合にのみ実行され、図柄変動ゲームが確実に大当りになることを予め報知する特別予告演出のうち何れの予告演出を実行するか決定する予告演出決定手段と、前記予告演出決定手段が決定した通常予告演出又は特別予告演出を前記演出実行手段に実行させる演出制御手段と、操作有効期間内において前記演出用操作手段が操作された操作態様に基づき、前記大当り判定手段の判定結果が肯定の場合には、前記予告演出決定手段が特別予告演出よりも高確率で通常予告演出を決定する通常モードと、前記大当り判定手段の判定結果が肯定の場合には、前記予告演出決定手段が通常予告演出よりも高確率で特別予告演出を決定する特別モードのうち何れかの演出モードを設定するモード設定手段と、を備え、図柄変動ゲームが実行されていない場合にはデモンストレーション演出を実行させることができ、前記デモンストレーション演出は、当該デモンストレーション演出の実行中に前記遊技球の入賞が検知されて図柄変動ゲームが実行されることによって終了するととに、前記デモンストレーション演出が実行されてから所定時間が経過することによっても終了し、前記モード設定手段は、前記特別モードが設定されている状態で前記デモンストレーション演出が実行される場合、前記所定時間の経過によって前記デモンストレーション演出が終了するまでの間に前記図柄変動ゲームが開始されないときには前記特別モードに代えて前記通常モードを設定することを要旨とする。
【０００８】
請求項２に記載の発明は、請求項１に記載の発明において、前記操作有効期間は、前記デモンストレーション演出の実行中に設定され、前記モード設定手段は、前記デモンストレーション演出の実行中であって、前記操作有効期間中に前記演出用操作手段が操作された場合に前記特別モードを設定するが、前記所定時間の経過によって前記デモンストレーション演出が終了するまでの間に前記図柄変動ゲームが開始されないときには前記特別モードに代えて前記通常モードを設定することを要旨とする。
【０００９】
請求項３に記載の発明は、遊技球の入賞を検知する始動入賞手段と、前記始動入賞手段による遊技球の入賞検知を契機に複数種類の図柄を変動させて図柄変動ゲームを実行する演出実行手段と、遊技者が操作可能な演出用操作手段と、を備え、前記図柄変動ゲームで予め決められた大当り表示結果が表示された場合には当該図柄変動ゲームの終了後に遊技球の入球が許容される入賞手段を開放する大当り遊技が付与される遊技機において、図柄変動ゲーム開始時に、当該図柄変動ゲームが大当りとなるか否かを判定する大当り判定手段と、当該図柄変動ゲームにおいて大当りになる可能性を示唆する通常予告演出と、前記大当り判定手段の判定結果が肯定の場合にのみ実行され、図柄変動ゲームが確実に大当りになることを予め報知する特別予告演出のうち何れの予告演出を実行するか決定する予告演出決定手段と、前記予告演出決定手段が決定した通常予告演出又は特別予告演出を前記演出実行手段に実行させる演出制御手段と、操作有効期間内において前記演出用操作手段が操作された操作態様に基づき、前記大当り判定手段の判定結果が肯定の場合には、前記予告演出決定手段が特別予告演出よりも高確率で通常予告演出を決定する通常モードと、前記大当り判定手段の判定結果が肯定の場合には、前記予告演出決定手段が通常予告演出よりも高確率で特別予告演出を決定する特別モードのうち何れかの演出モードを設定するモード設定手段と、を備え、図柄変動ゲームが実行されていない場合にはデモンストレーション演出を実行させることができ、前記デモンストレーション演出は、当該デモンストレーション演出の実行中に前記遊技球の入賞が検知されて図柄変動ゲームが実行されることによって終了するととに、前記デモンストレーション演出が実行されてから所定時間が経過することによっても終了し、前記操作有効期間は、前記デモンストレーション演出の実行中に設定され、前記モード設定手段は、前記デモンストレーション演出の実行中であって、前記操作有効期間中に前記演出用操作手段が操作された場合に前記特別モードを設定するが、前記所定時間の経過によって前記デモンストレーション演出が終了するまでの間に前記図柄変動ゲームが開始されないときには前記特別モードに代えて前記通常モードを設定することを要旨とする。
【００１０】
請求項４に記載の発明は、請求項１〜請求項３のうち何れか一項に記載の発明において、前記モード設定手段が設定する演出モードには、前記通常モード及び前記特別モードに加えて、予告変化モードがあり、前記予告変化モードは、前記通常モードにおいて前記通常予告演出として実行される予告演出が前記特別予告演出として実行されるモードであり、前記特別モードには、前記大当り判定手段の判定結果が肯定のときに前記特別予告演出を決定する確率を前記通常モードよりも高くした第１の特別モードと、前記大当り判定手段の判定結果が肯定のときには前記特別予告演出を必ず決定する第２の特別モードと、を含むことを要旨とする。
【発明の効果】
【００１２】
本発明によれば、大当り確定の演出が実行される確率を高くするか否かを遊技者が自ら決定することができる。
【図面の簡単な説明】
【００１３】
【図１】パチンコ遊技機の機表側を示す正面図。
【図２】遊技盤を示す拡大図。
【図３】パチンコ遊技機の電気的構成を示すブロック図。
【図４】変動パターンを説明する説明図。
【図５】特別図柄入力処理を示すフローチャート。
【図６】特別図柄開始処理を示すフローチャート。
【図７】セリフ予告演出の表示態様を示す説明図。
【図８】（ａ）〜（ｂ）は、セリフ予告演出の演出態様を選択するための乱数振り分けを示す説明図。
【図９】一発確定演出の実行パターンを示す説明図。
【図１０】（ａ）〜（ｂ）は、一発確定演出の演出態様を選択するための乱数振り分けを示す説明図。
【図１１】（ａ）〜（ｂ）は、家紋予告演出の実行可否を選択するための乱数振り分けを示す説明図。
【図１２】モード設定処理を示すフローチャート。
【図１３】（ａ）〜（ｃ）は、各種モードを設定する際の演出ボタンの操作態様を示す説明図。
【図１４】（ａ）〜（ｃ）は、モードの設定契機とリセット契機を示すタイミングチャート。
【発明を実施するための形態】
【００１４】
以下、本発明をその一種であるパチンコ遊技機に具体化した一実施形態を図１〜図１４にしたがって説明する。
図１には、パチンコ遊技機１０と当該パチンコ遊技機１０が遊技場の遊技機設置設備（遊技島）に設置された際に並設される遊技媒体貸出用ユニットとしてのカードユニット装置１１が略示されている。カードユニット装置１１には、遊技者に貸し出される貸出用遊技媒体としての遊技球（貸し球）と交換可能な交換媒体としてのプリペイドカードを投入するための投入口１１ａが設けられている。カードユニット装置１１は、投入されたプリペイドカードの価値を読み書き可能な構成となっている。具体的に言えば、カードユニット装置１１は、投入時にプリペイドカードの残金（価値）を読込むとともに、貸し球の払出しに伴ってプリペイドカードの残金（価値）を書き替える。
【００１５】
パチンコ遊技機１０の機体の外郭をなす外枠１２の開口前面側には、各種の遊技用構成部材をセットする縦長方形の中枠１３が開放及び着脱自在に組み付けられているとともに、中枠１３の前面側には前枠１４が開閉及び着脱自在に組み付けられている。前枠１４は、図１に示すようにパチンコ遊技機１０を機正面側から見た場合において、中枠１３に重なるように組み付けられている。このため、中枠１３は、前枠１４の後側に配置されており、機正面側からは視認し得ないようになっている。前枠１４は、中央部に窓口１５を有するとともに、当該窓口１５の下方にパチンコ遊技機１０の遊技媒体となる遊技球を貯留可能な第１貯留皿としての上皿（貯留皿）１６を一体成形した構成とされている。前枠１４の裏面側には、機内部に配置された遊技盤ＹＢを保護し、かつ窓口１５を覆う大きさのガラスを支持する図示しないガラス支持枠が着脱及び傾動開放可能に組み付けられている。遊技盤ＹＢは、中枠１３に装着される。また、前枠１４には、窓口１５のほぼ全周を囲むように、図示しない発光体（ランプ、ＬＥＤなど）の発光（点灯や点滅）により発光演出を行う電飾表示部を構成する上側枠用ランプ部１７と、左側枠用ランプ部１８と、右側枠用ランプ部１９とが配置されている。各枠用ランプ部１７，１８，１９は、前枠１４の前面に装着される複数の発光体を、該各発光体の発する光を透過可能に成形したランプレンズ１７ａ，１８ａ，１９ａで覆って構成されている。
【００１６】
前枠１４には、窓口１５の左右上部に、各種音声を出力して音声演出を行う左スピーカ２０と、右スピーカ２１とが配置されている。左スピーカ２０と右スピーカ２１は、前枠１４の裏面に装着されており、当該前枠１４の前面であって左スピーカ２０、及び右スピーカ２１の装着部位に対応する部位には図示しない放音孔が複数形成されている。
【００１７】
中枠１３の前面側であって前枠１４の下部には、上皿１６から溢れ出た遊技球を貯留する第２貯留皿としての下皿（貯留皿）２３が装着されている。また、中枠１３の前面側であって下皿２３の右方には、遊技球を遊技盤ＹＢに発射させる際に遊技者によって回動操作される遊技球発射用の発射ハンドル２４が装着されている。また、中枠１３には、下皿２３の左方に、各種音声を出力して音声演出を行う下スピーカ２５が配置されている。下スピーカ２５は、中枠１３に装着されている。
【００１８】
上皿１６には、その左方側に機内部から払出される遊技球の払出口１６ａが設けられているとともに、遊技者の保有する遊技球を貯留する凹状の貯留通路１６ｂが連設されており、さらに右方側に貯留通路１６ｂ内の遊技球を機内部に取り込む図示しない上皿取込口が設けられている。上皿１６に貯留された遊技球は、貯留通路１６ｂにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル２４の回動量に応じて発射の強弱が設定される。また、下皿２３には、上皿１６から溢れ出て流下した遊技球の出口２３ａが設けられているとともに、遊技球を貯留する凹状の貯留部２３ｂが遊技球の出口２３ａに連設されている。
【００１９】
また、上皿１６には、押しボタン式の演出ボタン７０が配設されている。この演出ボタン７０が押下操作されると、演出ボタン７０に接続されているサブ統括制御基板４６（図３参照）に検知信号が出力される。従って、本実施形態の演出ボタン７０は、遊技者により操作される演出用操作手段となる。
【００２０】
次に、遊技盤ＹＢの構成について図２にしたがって詳しく説明する。
遊技盤ＹＢの前面には、発射ハンドル２４の操作によって発射された遊技球を誘導し、かつパチンコ遊技の主体となるほぼ円形の遊技領域Ｈ１を形成する誘導レール２６が円形渦巻き状に敷設されている。この誘導レール２６によって遊技盤ＹＢには、当該遊技盤ＹＢの左下方から左上方に向かって延びる遊技球の誘導路２６ａが形成されるとともに、誘導レール２６の内側に遊技領域Ｈ１が形成される。また、遊技盤ＹＢの前面であって誘導レール２６の外側となる遊技領域Ｈ１外は、パチンコ遊技に直接関与しない非遊技領域Ｈ２とされている。
【００２１】
遊技盤ＹＢの遊技領域Ｈ１のほぼ中央（センター）には、各種の表示器や各種の飾りを施した表示枠体（センター役物）２７が装着されている。表示枠体２７の略中央には、正面視横長矩形に開口するセット口２７ａが形成されており、当該セット口２７ａに整合して表示枠体２７には液晶ディスプレイ型の画像表示部ＧＨを有する表示手段、及び演出実行手段としての演出表示装置２８が装着されている。演出表示装置２８には、複数列（本実施形態では３列）の図柄列を変動させて行う図柄変動ゲームを含み、当該図柄変動ゲームに関連して実行される各種の表示演出（遊技演出）が画像表示されるようになっている。本実施形態において演出表示装置２８の図柄変動ゲームでは、複数列（本実施形態では３列）の図柄からなる図柄組み合わせを導出する。なお、演出表示装置２８の図柄変動ゲームは、表示演出を多様化するための飾り図柄（演出図柄）を用いて行われる。また、表示枠体２７には、発光により発光演出を行う盤用ランプ部２７ｂが装着されている。
【００２２】
また、表示枠体２７の左下方には、表示手段としての特別図柄表示装置３０が設けられている。特別図柄表示装置３０は、例えば７セグメントＬＥＤ型の発光装置から構成されている。特別図柄は、大当りか否かの内部抽選（大当り抽選）の結果を示す報知用の図柄である。
【００２３】
演出表示装置２８と特別図柄表示装置３０では、図柄変動ゲームの開始により同時に図柄（特別図柄と飾り図柄）の変動が開始される。具体的には、図柄変動ゲームの開始に伴って、特別図柄表示装置３０では特別図柄の変動が開始する一方で、演出表示装置２８では各列の飾り図柄の変動が開始する。そして、演出表示装置２８と特別図柄表示装置３０には、大当り抽選の抽選結果に基づき、図柄変動ゲームの終了によって同時に大当り図柄（大当り表示結果）、又ははずれ図柄（はずれ表示結果）が確定的に停止表示される。このとき、特別図柄表示装置３０と演出表示装置２８では、大当り抽選の抽選結果が大当りである場合には何れの表示装置にも大当り図柄が確定的に停止表示（確定停止表示）され、大当り抽選の抽選結果がはずれである場合には何れの表示装置にもはずれ図柄が確定停止表示される。大当り図柄は、大当り抽選の抽選結果が大当りである場合に図柄変動ゲームで確定停止表示されるものであり、はずれ図柄は、大当り抽選の抽選結果がはずれである場合に図柄変動ゲームで確定停止表示されるものである。
【００２４】
本実施形態において特別図柄表示装置３０には、複数種類（本実施形態では、１０１種類）の特図の中から、大当り抽選の抽選結果に対応する１つの特図が選択され、その選択された特図が図柄変動ゲームの終了によって個別に確定停止表示される。１０１種類の特図は、大当りを認識し得る図柄となる１００種類の大当り図柄（大当り表示結果に相当する）と、はずれを認識し得る図柄となる１種類のはずれ図柄に分類される。また、大当り図柄が表示された場合、遊技者には、大当り遊技が付与される。
【００２５】
また、本実施形態において演出表示装置２８には、各列毎に［１］、［２］、［３］、［４］、［５］、［６］、［７］、［８］の８種類の数字が飾図として表示されるようになっている。そして、本実施形態において演出表示装置２８は、特別図柄表示装置３０に比較して大きい表示領域で構成されるとともに、飾図は特図に比較して遥かに大きく表示されるようになっている。このため、遊技者は、演出表示装置２８に停止表示された図柄組み合わせから大当り、又ははずれを認識できる。演出表示装置２８に停止表示された全列の図柄が同一種類の場合には、その図柄組み合わせ（［２２２］［７７７］など）から大当りを認識できる。この大当りを認識できる図柄組み合わせが飾図による大当りの図柄組み合わせ（大当り図柄）となる。大当りの図柄組み合わせが確定停止表示されると、遊技者には、図柄変動ゲームの終了後に大当り遊技が付与される。一方、演出表示装置２８に確定停止表示された全列の図柄が異なる種類の場合、又は１列の図柄が他の２列の図柄とは異なる種類の場合には、その図柄組み合わせ（［１２３］［１２２］［７５７］など）からはずれを認識できる。このはずれを認識できる図柄組み合わせが飾図によるはずれの図柄組み合わせ（はずれ図柄）となる。
【００２６】
また、本実施形態において、演出表示装置２８における各列は、図柄変動ゲームが開始すると、予め定めた変動方向（縦スクロール方向）に沿って飾り図柄が変動表示されるようになっている。そして、図柄変動ゲームが開始すると（各列の飾り図柄が変動を開始すると）、演出表示装置２８において遊技者側から見て左列（左図柄）→右列（右図柄）→中列（中図柄）の順に飾図が停止表示されるようになっている。そして、一旦停止表示された左図柄と右図柄が同一種類の場合には、その図柄組み合わせ（［１↓１］など、「↓」は変動中を示す）からリーチ状態を認識できる。リーチ状態は、複数列のうち、特定列（本実施形態では、左列と右列）の飾図が同一種類となって一旦停止表示され、かつ前記特定列以外の列（本実施形態では、中列）の飾図が変動表示されている状態である。このリーチ状態を認識できる図柄組み合わせが飾図によるリーチの図柄組み合わせとなる。また、本実施形態のパチンコ遊技機１０では、図柄変動ゲームの開始後、最初に飾図を一旦停止表示させる左列が第１停止図柄列になるとともに、次に飾図を一旦停止表示させる右列が第２停止図柄列になり、さらに最後に飾図を一旦停止表示させる中列が第３停止図柄列となる。
【００２７】
また、本実施形態のパチンコ遊技機１０では、演出表示装置２８の表示領域（画像表示面）を特別図柄表示装置３０の表示領域よりも大きく形成し、演出表示装置２８を遊技者の正面に目立つように配置している。このため、遊技者は、特別図柄表示装置３０よりも自身の目の前で多彩な画像によって表示演出（例えば、リーチ演出や予告演出）が行われる演出表示装置２８の表示内容に注目し、当該演出表示装置２８の図柄変動ゲームで導出されて確定停止表示される図柄組み合わせから大当り、又ははずれを認識することになる。
【００２８】
また、表示枠体２７の右下方には、普通図柄表示装置３１が設けられている。普通図柄表示装置３１は、例えば７セグメントＬＥＤ型の発光装置から構成されている。普通図柄表示装置３１では、大当りか否かの大当り抽選とは別に行う当りか否か（開閉羽根３５の開動作により下始動入賞口３４を開放するか否か）の内部抽選（当り抽選）の抽選結果を表示する。そして、本実施形態の普通図柄表示装置３１では、当り抽選で当りを決定している場合には普通図柄変動ゲームで当り図柄が確定停止表示される一方で、当り抽選ではずれを決定している場合には普通図柄変動ゲームではずれ図柄が確定停止表示される。
【００２９】
また、表示枠体２７の下方の遊技領域Ｈ１には、始動入賞手段としての遊技球の入球口３３ａを有する上始動入賞口３３と遊技球の入球口３４ａを有する下始動入賞口３４が上下方向に並ぶように配置されている。上始動入賞口３３は、常時遊技球の入球を許容し得るように入球口３３ａを常時開放させた構成とされている。一方で、下始動入賞口３４は普通電動役物とされ、図示しないアクチュエータ（ソレノイド、モータなど）の作動により開閉動作を行う開閉羽根３５を備えており、開閉羽根３５が開動作することにより遊技球の入球を許容し得るように入球口３４ａを開放させる構成とされている。換言すれば、下始動入賞口３４は、開閉羽根３５が開動作して入球口３４ａが開放されない限り、遊技球の入球を不能とする構成とされている。
【００３０】
上始動入賞口３３の奥方には、入球した遊技球を検知する上始動口スイッチＳＷ１（図３に示す）が配設されているとともに、下始動入賞口３４の奥方には、入球した遊技球を検知する下始動口スイッチＳＷ２（図３に示す）が配設されている。上始動入賞口３３と下始動入賞口３４は、入球した遊技球を検知することにより、図柄変動ゲームの始動条件と予め定めた個数の賞球としての遊技球の払出条件を付与し得る。下始動入賞口３４は開閉羽根３５が開動作すると、入口が拡大されて遊技球が入球し易い状態とされる一方で、開閉羽根３５が閉動作すると、入口が拡大されずに遊技球の入球が不能となる状態とされる。
【００３１】
また、図２に示すように、遊技盤ＹＢの左側下部には、保留表示器３２が配設されている。保留表示器３２は、始動入賞口３３，３４に入球し、始動保留球となって機内部（主制御用ＲＡＭ４５ｃ）で記憶された始動保留球の記憶数を表示する表示器であり、保留表示器３２の表示内容によって保留されている図柄変動ゲームの回数が報知される。始動保留記憶数は、始動入賞口３３，３４へ遊技球が入球すると１加算（＋１）され、第１図柄変動ゲームが開始されることにより１減算（−１）される。そして、図柄変動ゲーム中に始動入賞口３３，３４へ遊技球が入球すると始動保留記憶数は更に加算（＋１）されて所定の上限数（本実施形態では４）まで累積される。そして、保留表示器３２は、７セグメントＬＥＤ型の発光装置で構成されている。例えば、「１」と点灯表示している場合には１回の図柄変動ゲームが保留中であることを報知している。従って、遊技者は、保留表示器３２の表示内容を見て、保留されている図柄変動ゲームの回数が減ったときには、現在図柄変動ゲームが実行されていることを認識することができる。
【００３２】
また、図２に示すように、下始動入賞口３４の下方には、図示しないアクシュエータ（ソレノイド、モータなど）の作動により開閉動作を行う大入賞口扉４０を備えた入賞手段としての大入賞口４１が配設されている。大入賞口４１の奥方には、入球した遊技球を検知するカウントスイッチＳＷ３が設けられている。そして、大当り遊技が生起されると、大入賞口扉４０の開動作によって大入賞口４１が開放されて遊技球が入球可能となるため、遊技者は、多数の賞球が獲得できるチャンスを得ることができる。そして、この大当り遊技は、内部抽選で大当りが決定し、図柄変動ゲームにて大当り図柄（大当り表示結果）が確定停止表示されることを契機に付与される。
【００３３】
大当り遊技は、内部抽選で大当りを決定し、図柄変動ゲームで大当り図柄が確定停止表示されて当該図柄変動ゲームの終了後、開始される。大当り遊技が開始すると、最初に大当り遊技の開始を示すオープニング演出が行われる。オープニング演出終了後には、大入賞口扉４０の開動作により大入賞口４１が開放されるラウンド遊技が予め定めた規定ラウンド数（ラウンド遊技の上限回数）を上限として複数回行われる。１回のラウンド遊技は、ラウンド遊技が開始してから予め定めたラウンド遊技時間が経過する、又は予め定めた入球上限個数の遊技球が入球する、の何れか一方の条件を満たすことにより終了する。そして、大当り遊技は、規定ラウンド数のラウンド遊技の終了後に大当り遊技の終了を示すエンディング演出が行われて終了する。
【００３４】
また、表示枠体２７の左方の遊技領域Ｈ１には、普通図柄作動ゲート４２が配設されている。普通図柄作動ゲート４２の奥方には、当該普通図柄作動ゲート４２へ入球し通過した遊技球を検知する普通図柄変動スイッチＳＷ４（図３に示す）が設けられている。普通図柄作動ゲート４２は、遊技球の通過を契機に、普通図柄変動ゲームの始動条件のみを付与し得る。
【００３５】
また、遊技盤ＹＢの遊技領域Ｈ１の最下方（大入賞口４１よりも下方）には、遊技領域Ｈ１に発射された後、何れの入賞口にも入球しなかった遊技球をアウト球として機外に排出するためのアウト球口４３が形成されている。アウト球口４３を通過した遊技球は、パチンコ遊技機１０の設置設備（遊技島）に配設されたアウト球タンク（図示しない）に排出される。
【００３６】
次に、パチンコ遊技機１０の電気的構成について図３にしたがって説明する。
パチンコ遊技機１０の機裏側には、パチンコ遊技機１０全体を制御する主制御装置としての主制御基板４５が装着されている。主制御基板４５は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、サブ統括制御基板４６と、演出表示制御基板４７と、音声・ランプ制御基板４８が装着されている。
【００３７】
サブ統括制御基板４６は、主制御基板４５が出力した制御信号（制御コマンド）に基づき、演出表示制御基板４７、及び音声・ランプ制御基板４８を統括的に制御する。演出表示制御基板４７は、主制御基板４５とサブ統括制御基板４６が出力した制御信号（制御コマンド）に基づき、演出表示装置２８の表示態様（図柄、背景、文字などの表示画像など）を制御する。また、音声・ランプ制御基板４８は、主制御基板４５とサブ統括制御基板４６が出力した制御信号（制御コマンド）に基づき、各種ランプ部１７〜１９，２７ｂの発光態様（点灯（点滅）／消灯のタイミングなど）、及びスピーカ２０，２１，２５の音声出力態様（音声出力のタイミングなど）を制御する。
【００３８】
以下、主制御基板４５、サブ統括制御基板４６、及び演出表示制御基板４７について、その具体的な構成を説明する。
主制御基板４５には、制御動作を所定の手順で実行することができる主制御用ＣＰＵ４５ａと、主制御用ＣＰＵ４５ａの制御プログラムを格納する主制御用ＲＯＭ４５ｂと、必要なデータの書き込み、及び読み出しができる主制御用ＲＡＭ４５ｃが設けられている。主制御用ＣＰＵ４５ａには、主制御用ＲＯＭ４５ｂと主制御用ＲＡＭ４５ｃが接続されている。また、主制御用ＣＰＵ４５ａには、上始動入賞口３３に入球した遊技球を検知する上始動口スイッチＳＷ１と、下始動入賞口３４に入球した遊技球を検知する下始動口スイッチＳＷ２が接続されている。また、主制御用ＣＰＵ４５ａには、保留表示器３２が接続されている。また、主制御用ＣＰＵ４５ａには、大入賞口４１に入球した遊技球を検知するカウントスイッチＳＷ３と、普通図柄作動ゲート４２を通過した遊技球を検知する普通図柄変動スイッチＳＷ４が接続されている。また、主制御用ＣＰＵ４５ａには、図柄表示基板４９を介して、特別図柄表示装置３０と普通図柄表示装置３１が接続されている。図柄表示基板４９は、特別図柄表示装置３０、及び普通図柄表示装置３１と対応する位置にそれぞれ装着されており、主制御基板４５が出力する制御信号を入力し、特別図柄表示装置３０、及び普通図柄表示装置３１の表示内容を制御する。
【００３９】
また、主制御用ＣＰＵ４５ａは、大当り判定用乱数、リーチ判定用乱数などの各種乱数の値を所定の周期毎に更新し、更新後の値を主制御用ＲＡＭ４５ｃの設定領域に記憶（設定）して更新前の値を書き換えている。また、主制御用ＣＰＵ４５ａはタイマ機能を搭載しており、所定のタイミング（例えば、図柄変動ゲームを開始するタイミング）で時間を計測する。また、主制御用ＲＡＭ４５ｃには、パチンコ遊技機１０の動作中に適宜書き換えられる各種情報（乱数値、タイマ値、フラグなど）が記憶（設定）されるようになっている。
【００４０】
主制御用ＲＯＭ４５ｂには、パチンコ遊技機１０全体を制御するためのメイン制御プログラムが記憶されている。また、主制御用ＲＯＭ４５ｂには、メイン制御プログラムに加え、複数種類の変動パターンが記憶されている。変動パターンは、演出表示装置２８、及び特別図柄表示装置３０において図柄の変動開始による図柄変動ゲームが開始してから、演出表示装置２８、及び特別図柄表示装置３０において図柄が確定停止表示されて図柄変動ゲームが終了するまでの間の遊技演出（表示演出、発光演出、音声演出）のベースとなるパターンを示すものである。すなわち、変動パターンは、特図が変動開始してから特図が確定停止表示されるまでの間の図柄変動ゲームの演出内容及び演出時間（変動時間）を特定することができる。そして、変動パターンは、大当り演出用、はずれリーチ演出用、及びはずれ演出用からなり、変動内容毎に分類されている。
【００４１】
変動パターンは、図４に示すように、大当り抽選に当選した際に選択される大当り演出用の変動パターンＰ５〜Ｐ７がある。また、変動パターンは、大当り抽選に当選しなかったはずれの場合に選択されるはずれリーチ演出用の変動パターンＰ２〜Ｐ４と、はずれ演出用（はずれリーチなし演出用）の変動パターンＰ１がある。なお、図４は、本実施形態のパチンコ遊技機１０において、主制御用ＲＯＭ４５ｂに記憶されている変動パターンの一部を示している。本実施形態では、当該本実施形態の説明を通じて図４に示す一部の変動パターンを中心に説明する。
【００４２】
本実施形態において大当り演出用の変動パターンには、変動パターンＰ５〜Ｐ７がある。なお、変動パターンＰ５〜Ｐ７に基づき行われる大当り演出は、図柄変動ゲームが、リーチ演出を経て、最終的に大当りの図柄組み合わせを確定停止表示させるように展開される大当り演出である。また、変動パターンＰ２〜Ｐ４に基づき行われるはずれリーチ演出は、図柄変動ゲームが、リーチ演出を経て、最終的にはずれの図柄組み合わせを確定停止表示させるように展開される演出である。また、変動パターンＰ１に基づき行われるはずれ演出は、図柄変動ゲームが、リーチ演出を経ることなく最終的にはずれの図柄組み合わせを確定停止表示させるように展開される演出である。リーチ演出は、演出表示装置２８の飾り図柄による図柄変動ゲームにおいて、リーチの図柄組み合わせが形成されてから、最終的に図柄組み合わせ（大当りの図柄組み合わせ又ははずれの図柄組み合わせ）が導出される迄の間に行われる演出である。また、特別図柄表示装置３０では、図柄変動ゲームが開始されると、リーチ演出を行うことなく、変動時間の経過時まで図柄の変動が継続される。また、はずれ演出用の変動パターンＰ１に基づき行われるはずれ演出は、図柄変動ゲームの開始後、各列の図柄を予め定めた変動停止順序（例えば、左列→右列→中列）にしたがって変動を停止させて各列に図柄を導出させる演出である。
【００４３】
また、主制御用ＲＯＭ４５ｂには、大当り判定値及びリーチ判定値が記憶されている。大当り判定値は、大当り判定で用いる判定値であり、大当り判定用乱数の取り得る数値の中から定められている。例えば、大当り判定用乱数の取り得る数値を「０（零）」〜「１５９９」までの全１６００通りの整数に設定し、その値の中から大当り判定値として４つの値を設定した場合、大当り判定の判定結果が肯定とされる割合、すなわち大当りの当選確率は１６００分の４（４００分の１）となる。また、リーチ判定値は、リーチ判定で用いる判定値であり、リーチ判定用乱数の取り得る数値の中から定められている。例えば、リーチ判定用乱数の取り得る数値を「０（零）」〜「７９９」までの全８００通りの整数に設定し、その値の中からリーチ判定値として２０つの値を設定した場合、リーチ判定の判定結果が肯定とされる割合、すなわち、はずれとなる図柄変動ゲームでリーチ演出が実行される確率は、８００分の２０（４０分の１）となる。なお、本実施形態における主制御用ＣＰＵ４５ａが、大当り判定手段として機能する。
【００４４】
次に、サブ統括制御基板４６について説明する。
サブ統括制御基板４６には、制御動作を所定の手順で実行することができる統括制御用ＣＰＵ４６ａと、統括制御用ＣＰＵ４６ａの制御プログラムを格納する統括制御用ＲＯＭ４６ｂと、必要なデータの書き込み、及び読み出しができる統括制御用ＲＡＭ４６ｃが設けられている。統括制御用ＣＰＵ４６ａには、統括制御用ＲＯＭ４６ｂと統括制御用ＲＡＭ４６ｃが接続されている。そして、統括制御用ＣＰＵ４６ａはタイマ機能を搭載しており、所定のタイミング（例えば、図柄変動ゲームを開始するタイミング）で時間を計測する。
【００４５】
また、統括制御用ＣＰＵ４６ａには、演出ボタン７０が接続されており、演出ボタン７０から検知信号を入力することができるようになっている。すなわち、統括制御用ＣＰＵ４６ａは、演出ボタン７０が操作されたことを検知することができる。そして、統括制御用ＣＰＵ４６ａは、操作有効期間中に演出ボタン７０が操作されると、当該演出ボタン７０が押下操作された回数を操作回数として、統括制御用ＲＡＭ４６ｃに記憶する。また、統括制御用ＣＰＵ４６ａは、演出ボタン７０が押下操作されている時間を、前記タイマ機能により計測する。つまり、統括制御用ＣＰＵ４６ａは、演出ボタン７０が押下操作されている時間（長押しされた時間）を計測することができるとともに、演出ボタン７０が押下操作された回数（操作回数）をカウントすることができる。
【００４６】
次に、演出表示制御基板４７について説明する。
演出表示制御基板４７には、制御動作を所定の手順で実行することができる表示制御用ＣＰＵ４７ａと、表示制御用ＣＰＵ４７ａの制御プログラムを格納する表示制御用ＲＯＭ４７ｂと、必要なデータの書き込み、及び読み出しができる表示制御用ＲＡＭ４７ｃが設けられている。表示制御用ＣＰＵ４７ａには、演出表示装置２８（画像表示部ＧＨ）が接続されている。また、本実施形態の表示制御用ＣＰＵ４７ａはタイマ機能を搭載しており、所定のタイミング（例えば、図柄変動ゲームを開始するタイミング）で時間を計測する。表示制御用ＲＯＭ４７ｂには、各種の画像データ（図柄、背景、文字、キャラクタなどの画像データ）が記憶されている。なお、本実施形態では、表示制御用ＣＰＵ４７ａが演出制御手段として機能する。
【００４７】
以下、主制御基板４５、サブ統括制御基板４６、及び演出表示制御基板４７が実行する制御内容を説明する。最初に、主制御基板４５、サブ統括制御基板４６、及び演出表示制御基板４７が実行する制御内容として、図柄変動ゲームの実行に係る制御内容を説明する。
【００４８】
最初に特別図柄入力処理を図５に基づいて説明する。なお、主制御用ＣＰＵ４５ａは、特別図柄入力処理を所定周期毎（例えば、４ｍｓ毎）に実行するようになっている。
主制御基板４５の主制御用ＣＰＵ４５ａは、上始動入賞口３３又は下始動入賞口３４へ遊技球が入球したか、つまり、始動口スイッチＳＷ１，ＳＷ２が遊技球を検知したか否かを判定する（ステップＳ１）。具体的には、始動口スイッチＳＷ１，ＳＷ２は、遊技球を入賞検知すると検知信号を主制御用ＣＰＵ４５ａに出力する。そして、主制御用ＣＰＵ４５ａは、検知信号を入力した際に、入賞検知したことを認識するとともに、ステップＳ１の判定結果を肯定とする。
【００４９】
主制御用ＣＰＵ４５ａは、ステップＳ１の判定が肯定の場合、つまり、検知信号を入力すると、主制御用ＲＡＭ４５ｃに記憶されている保留記憶数が上限数（本実施形態では４）未満であるか否かの判定を行う（ステップＳ２）。ステップＳ２の判定結果が肯定（特別図柄用の保留記憶数＜４）の場合、主制御用ＣＰＵ４５ａは、保留記憶数に１加算（＋１）する（ステップＳ３）。また、主制御用ＣＰＵ４５ａは、ステップＳ３で加算した後の数を、保留記憶数として主制御用ＲＡＭ４５ｃに記憶させる。また、主制御用ＣＰＵ４５ａは、大当り判定用乱数、リーチ判定用乱数等の各種乱数の値を主制御用ＲＡＭ４５ｃから取得する（ステップＳ４）。そして、その取得した各種乱数の値を特別図柄用の保留記憶数に対応付けて主制御用ＲＡＭ４５ｃの所定の記憶領域に格納する。そして、主制御用ＣＰＵ４５ａは、特別図柄入力処理を終了する。
【００５０】
また、主制御用ＣＰＵ４５ａは、ステップＳ１の判定結果が否定の場合、つまり、遊技球が入賞検知されない場合、特別図柄入力処理を終了する。また、主制御用ＣＰＵ４５ａは、ステップＳ２の判定結果が否定の場合、つまり、保留記憶数が「４」の場合、特別図柄入力処理を終了する。
【００５１】
次に、特別図柄開始処理について図６に基づいて説明する。なお、主制御用ＣＰＵ４５ａは、特別図柄開始処理を所定周期毎（例えば、４ｍｓ毎）に実行するようになっている。
【００５２】
まず、主制御用ＣＰＵ４５ａは、大当り遊技中、又は図柄変動ゲーム中か否かを判定する（ステップＳ１１）。ステップＳ１１の判定結果が否定の場合、主制御用ＣＰＵ４５ａは、保留記憶数を読み出す（ステップＳ１２）。そして、主制御用ＣＰＵ４５ａは、読み出した保留記憶数が「０（零）」より大きい値か否かを判定する（ステップＳ１３）。また、ステップＳ１３の判定結果が肯定の場合、つまり、保留記憶数の値が「０」より大きい値の場合、ステップＳ１２において読み出した始動保留数の値から１減算（−１）する（ステップＳ１４）。また、主制御用ＣＰＵ４５ａは、ステップＳ１４で減算した後の数を、保留記憶数として主制御用ＲＡＭ４５ｃに記憶させる。また、主制御用ＣＰＵ４５ａは、主制御用ＲＡＭ４５ｃの所定の記憶領域に格納した大当り判定用乱数の値、及びリーチ判定用乱数の値を読み出す（ステップＳ１５）。また、主制御用ＣＰＵ４５ａは、ステップＳ１５で読み出した大当り判定用乱数の値と主制御用ＲＯＭ４５ｂに記憶されている大当り判定値とを比較し、大当りか否かの大当り判定（大当り抽選）を行う（ステップＳ１６）。
【００５３】
そして、ステップＳ１６の判定結果が肯定の場合、つまり、大当りの場合、主制御用ＣＰＵ４５ａは、大当り演出用の変動パターンの中から変動パターンを決定する（ステップＳ１７）。なお、主制御用ＣＰＵ４５ａは、大当り演出用の変動パターンのうち、原則、変動パターンＰ７＞変動パターンＰ６＞変動パターンＰ５の順で決定しやすい。変動パターンを決定した主制御用ＣＰＵ４５ａは、サブ統括制御基板４６（統括制御用ＣＰＵ４６ａ）に対し、所定の制御コマンドを所定のタイミングで出力する等、図柄変動ゲームに関する各種処理を実行する（ステップＳ１８）。具体的に言えば、主制御用ＣＰＵ４５ａは、変動パターンを指定するとともに、図柄変動ゲームの開始を指示する変動パターン指定コマンドを最初に出力する。同時に、主制御用ＣＰＵ４５ａは、特別図柄を変動開始させるように特別図柄表示装置３０の表示内容を制御する。また、同時に、主制御用ＣＰＵ４５ａは、図柄変動ゲームの演出時間の計測を開始する。そして、主制御用ＣＰＵ４５ａは、特別図柄開始処理を終了する。その後、特別図柄開始処理とは別の処理で、主制御用ＣＰＵ４５ａは、前記指定した変動パターンに定められている演出時間に基づいて、決定した最終停止図柄を表示させるように特別図柄表示装置３０の表示内容を制御する。また、主制御用ＣＰＵ４５ａは、前記指定した変動パターンに定められている演出時間に基づいて、飾図の変動停止を指示し、図柄組み合わせを確定停止表示させるための全図柄停止コマンドを出力する。
【００５４】
一方、ステップＳ１６の判定結果が否定の場合、つまり、はずれの場合、主制御用ＣＰＵ４５ａは、ステップＳ１５で読み出したリーチ判定用乱数の値と主制御用ＲＯＭ４５ｂに記憶されているリーチ判定値とを比較し、リーチ演出が実行されるか否かのリーチ判定を行う（ステップＳ１９）。また、ステップＳ１９の判定結果が肯定の場合、つまり、リーチ演出が実行される場合、主制御用ＣＰＵ４５ａは、はずれリーチ演出用の変動パターンの中から変動パターンを決定する（ステップＳ２０）。なお、主制御用ＣＰＵ４５ａは、はずれリーチ演出用の変動パターンのうち、原則、変動パターンＰ２＞変動パターンＰ３＞変動パターンＰ４の順で決定しやすい。変動パターンを決定した主制御用ＣＰＵ４５ａは、ステップＳ１８の処理に移行し、サブ統括制御基板４６（統括制御用ＣＰＵ４６ａ）に対し、所定の制御コマンドを所定のタイミングで出力する等、図柄変動ゲームに関する各種処理を実行する。その後、主制御用ＣＰＵ４５ａは、特別図柄開始処理を終了する。なお、特別図柄開始処理とは別の処理で、主制御用ＣＰＵ４５ａは、前記指定した変動パターンに定められている演出時間に基づいて、決定した最終停止図柄を表示させるように特別図柄表示装置３０の表示内容を制御する。また、主制御用ＣＰＵ４５ａは、前記指定した変動パターンに定められている演出時間に基づいて、飾図の変動停止を指示し、図柄組み合わせを確定停止表示させるための全図柄停止コマンドを出力する。
【００５５】
また、ステップＳ１９の判定結果が否定の場合、つまり、はずれでリーチ演出が実行されない場合、主制御用ＣＰＵ４５ａは、はずれ演出用の変動パターンＰ１を決定する（ステップＳ２１）。そして、変動パターンを決定した主制御用ＣＰＵ４５ａは、ステップＳ１８の処理に移行し、サブ統括制御基板４６（統括制御用ＣＰＵ４６ａ）に対し、所定の制御コマンドを所定のタイミングで出力する等、図柄変動ゲームに関する各種処理を実行する。その後、主制御用ＣＰＵ４５ａは、特別図柄開始処理を終了する。なお、特別図柄開始処理とは別の処理で、主制御用ＣＰＵ４５ａは、前記指定した変動パターンに定められている演出時間に基づいて、決定した最終停止図柄を表示させるように特別図柄表示装置３０の表示内容を制御する。また、主制御用ＣＰＵ４５ａは、前記指定した変動パターンに定められている演出時間に基づいて、飾図の変動停止を指示し、図柄組み合わせを確定停止表示させるための全図柄停止コマンドを出力する。
【００５６】
一方、ステップＳ１３の判定結果が否定の場合、つまり、保留記憶数が「０（零）」の場合、主制御用ＣＰＵ４５ａは、デモンストレーション演出（デモ演出）が実行されているか否かを判定する（ステップＳ２２）。具体的には、デモンストレーション演出中を示すデモ情報が主制御用ＲＡＭ４５ｃに記憶されているか否かを判定する。また、ステップＳ２２の判定結果が否定の場合、つまり、デモンストレーション演出が実行されていない場合、主制御用ＣＰＵ４５ａは、サブ統括制御基板４６（統括制御用ＣＰＵ４６ａ）にデモンストレーション演出の開始を指示するデモンストレーション指定コマンドを出力する（ステップＳ２３）。また、同時に、主制御用ＣＰＵ４５ａは、デモンストレーション演出中であることを示すデモ情報を主制御用ＲＡＭ４５ｃに記憶させる。そして、デモンストレーション指定コマンドを出力した主制御用ＣＰＵ４５ａは、デモンストレーション指定コマンドを出力してからの時間を計測するために、主制御用デモタイマにて時間を計測する（ステップＳ２４）。その後、主制御用ＣＰＵ４５ａは、特別図柄開始処理を終了する。なお、主制御用ＣＰＵ４５ａは、主制御用デモタイマによってデモンストレーション指定コマンドが出力してからの時間が所定時間（本実施形態では、デモンストレーション演出時間の３００００ｍｓ）が経過すると、主制御用ＲＡＭ４５ｃに記憶されているデモ情報をクリアする。また、主制御用ＣＰＵ４５ａは、デモンストレーション演出が中断（例えば、デモ中の入賞検知による図柄変動ゲームの開始）された場合であっても、デモ情報をクリアする。
【００５７】
また、ステップＳ２２の判定結果が肯定の場合、つまり、デモンストレーション演出が実行されている場合、主制御用ＣＰＵ４５ａは、特別図柄開始処理を終了する。また、ステップＳ１１の判定結果が肯定の場合、つまり、大当り遊技中、又は図柄変動ゲーム中である場合、主制御用ＣＰＵ４５ａは、特別図柄開始処理を終了する。
【００５８】
次に、サブ統括制御基板４６が実行する図柄変動ゲームに係る制御について説明する。
サブ統括制御基板４６の統括制御用ＣＰＵ４６ａは、変動パターン指定コマンドを入力すると、その変動パターン指定コマンドに基づき図柄変動ゲームの具体的な表示演出内容を決定する。
【００５９】
そして、統括制御用ＣＰＵ４６ａは、入力した変動パターン指定コマンドを演出表示制御基板４７及び音声・ランプ制御基板４８に出力する。また、統括制御用ＣＰＵ４６ａは、全図柄停止コマンドを入力すると、当該コマンドを演出表示制御基板４７及び音声・ランプ制御基板４８に出力する。そして、統括制御用ＣＰＵ４６ａは、１回の図柄変動ゲームが終了されるので、次の図柄変動ゲームの実行に係る処理に移行する。
【００６０】
統括制御用ＣＰＵ４６ａは、変動パターン指定コマンドで指定された変動パターンの種類から、演出表示装置２８で実行される図柄変動ゲームにおいて導出する飾り図柄の図柄組み合わせを決定する。統括制御用ＣＰＵ４６ａは、大当り演出用の変動パターンが指定された場合には、最終的に停止表示させる前記図柄組み合わせを構成する飾り図柄として大当りの図柄組み合わせ（［１１１］［２２２］［３３３］［４４４］［５５５］［６６６］［７７７］［８８８］）を決定する。また、統括制御用ＣＰＵ４６ａは、はずれリーチ演出用、又ははずれ演出用の変動パターンが指定され、特別図柄の停止図柄指定がはずれ図柄の場合には、最終的に確定停止表示させるはずれの図柄組み合わせ（はずれリーチ演出用の場合は、はずれリーチの図柄組み合わせ）を決定する。そして、飾り図柄を決定した統括制御用ＣＰＵ４６ａは、飾り図柄を指示する飾り図柄用の図柄指定コマンドを演出表示制御基板４７に出力する。
【００６１】
次に、演出表示制御基板４７が実行する図柄変動ゲームに係る制御について説明する。
演出表示制御基板４７の表示制御用ＣＰＵ４７ａは、統括制御用ＣＰＵ４６ａが出力した変動パターン指定コマンドを入力すると、変動パターン指定コマンドで指示される図柄変動ゲームを実行させるように演出表示装置２８（画像表示部ＧＨ）の表示内容を制御する。また、表示制御用ＣＰＵ４７ａは、統括制御用ＣＰＵ４６ａが出力した全図柄停止コマンドを入力すると、図柄変動ゲームの表示結果として、図柄指定コマンドで指示される飾り図柄の図柄組み合わせを表示させるように演出表示装置２８（画像表示部ＧＨ）の表示内容を制御する。
【００６２】
次に、主制御基板４５、サブ統括制御基板４６、及び演出表示制御基板４７が実行する制御内容として、大当り遊技の実行に係る制御内容について説明する。
主制御基板４５の主制御用ＣＰＵ４５ａは、大当り演出となる図柄変動ゲームの終了後、大当り遊技を付与する。
【００６３】
そして、主制御用ＣＰＵ４５ａは、最初に統括制御用ＣＰＵ４６ａにオープニングコマンドを出力してオープニング演出を実行させる。そして、オープニング演出の終了後、主制御用ＣＰＵ４５ａは、予め定められた回数（本実施形態では、１６回）のラウンド遊技を実行させる。これらの大当り遊技では、１回のラウンド遊技において大入賞口（本実施形態では、大入賞口４１）が１回開放する。なお、１回のラウンド遊技のラウンド遊技時間、すなわち大入賞口４１の開放時間は、本実施形態においては「２５０００ｍｓ」に設定されている。また、主制御用ＣＰＵ４５ａは、大入賞口４１を開放させてラウンド遊技を開始させると、ラウンド遊技時間が経過したか否かの判定と規定入球個数（本実施形態では、８球）の遊技球が入球したか否かの判定を行う。また、主制御用ＣＰＵ４５ａは、ラウンド遊技の開始時に、開始させたラウンド遊技の回数を示すラウンド開放指定コマンドをサブ統括制御基板４６に出力する。そして、主制御用ＣＰＵ４５ａは、何れか一方を肯定判定すると、ラウンド遊技の終了条件が成立したことにより、大入賞口４１を閉鎖してラウンド遊技を終了させる。また、このとき、主制御用ＣＰＵ４５ａは、ラウンド閉鎖指定コマンドを出力する。
【００６４】
１回のラウンド遊技を終了させた主制御用ＣＰＵ４５ａは、ラウンド間インターバル時間（本実施形態では、２１００ｍｓ）の経過後に、次のラウンド遊技を開始させるべく大入賞口４１を開放させる。そして、予め定められた回数（本実施形態では、１６回）のラウンド遊技が終了したならば、主制御用ＣＰＵ４５ａは、エンディング処理を実行して、統括制御用ＣＰＵ４６ａにエンディングコマンドを出力し、エンディング演出を実行させる。
【００６５】
次に、サブ統括制御基板４６の大当り遊技の実行に係る制御内容について説明する。
サブ統括制御基板４６の統括制御用ＣＰＵ４６ａは、オープニングコマンドを入力すると、オープニング演出の演出内容を決定し、オープニング演出の演出内容を指示するオープニング演出コマンドを演出表示制御基板４７、及び音声・ランプ制御基板４８に出力する。また、統括制御用ＣＰＵ４６ａは、ラウンド開放指定コマンドを入力すると、ラウンド遊技中の演出を指示するために、ラウンド演出コマンドを演出表示制御基板４７、及び音声・ランプ制御基板に出力する。また、統括制御用ＣＰＵ４６ａは、ラウンド閉鎖指定コマンドを入力すると、ラウンド閉鎖指定コマンドを演出表示制御基板４７、及び音声・ランプ制御基板に出力する。そして、統括制御用ＣＰＵ４６ａは、エンディングコマンドを入力すると、エンディング演出の演出内容を決定し、エンディング演出の演出内容を指示するエンディング演出コマンドを演出表示制御基板４７、及び音声・ランプ制御基板４８に出力し、大当り遊技の実行にかかる制御を終了する。
【００６６】
次に、演出表示制御基板４７による大当り遊技の実行に係る制御内容を説明する。
演出表示制御基板４７の表示制御用ＣＰＵ４７ａは、統括制御用ＣＰＵ４６ａが出力するオープニング演出コマンドを入力すると、そのオープニング演出コマンドで指示された演出内容でオープニング演出を実行させるように演出表示装置２８（画像表示部ＧＨ）の表示内容を制御する。また、表示制御用ＣＰＵ４７ａは、各ラウンド演出コマンドを入力すると、そのラウンド演出コマンドで指示された演出内容で各ラウンド演出を実行させるように演出表示装置２８（画像表示部ＧＨ）の表示内容を制御する。また、表示制御用ＣＰＵ４７ａは、エンディング演出コマンドを入力すると、そのエンディング演出コマンドで指示された演出内容でエンディング演出を実行させるように演出表示装置２８（画像表示部ＧＨ）の表示内容を制御する。
【００６７】
なお、音声・ランプ制御基板４８は、オープニング演出コマンド、エンディング演出コマンド、各ラウンド演出コマンドを入力すると、各種ランプ部１７〜１９，２７ｂの発光態様及びスピーカ２０，２１，２５の音声出力態様を制御する。すなわち、音声・ランプ制御基板４８は、演出表示制御基板４７と同様にこれらのコマンドで指示された演出内容に応じた演出を行わせるように制御を行う。
【００６８】
本実施形態では、図柄変動ゲームが大当りになるかもしれないことを期待させる予告演出をさまざまな演出態様で実行する。
ここで、本実施形態の予告演出の一種であるセリフ予告演出について説明する。なお、セリフ予告演出は、図７に示す表示態様で演出表示装置２８に表示される。
【００６９】
本実施形態では、セリフ予告演出を実行する際には、図７に示すように人物Ｊを表示させるとともに、吹き出しＦと、当該吹き出しＦを囲う枠Ｗを表示させる。また、本実施形態では、セリフ予告演出における枠Ｗの色によって大当り期待度を異ならせている。具体的には、セリフ予告演出を実行する際、枠の色が白色→赤色→金色の順に大当り期待度を高めている。そして、吹き出しＦには、枠Ｗ及び人物Ｊに対応するセリフを吹き出しＦの表示領域（枠Ｗに囲われた内側の表示領域を示す）に表示させるようになっている。また、本実施形態では、枠Ｗの色が金色の場合には、大当りになることが認識できるようになっている。つまり、大当りとなる場合にのみ、枠Ｗの色が金色に表示されることがあり、それを視認した遊技者が大当りになることを認識できるようになっている。
【００７０】
また、セリフ予告演出は、図７に示すように演出表示装置２８の表示領域のほとんどを使用するため、他の予告演出を同時に演出表示装置２８にて実行することができないようになっている。ここで他の予告演出とは、セリフ予告演出とは異なる表示態様の予告演出である。そして、本実施形態では、セリフ予告演出を実行可能な変動パターンと、前述した他の予告演出を実行する変動パターン、つまり、セリフ予告演出を実行することのできない変動パターンを備えている。具体的には、変動パターンＰ１〜Ｐ３、及び変動パターンＰ５，Ｐ６がセリフ予告演出を実行可能な変動パターンである。一方、変動パターンＰ４，Ｐ７が、セリフ予告演出を実行することのできない変動パターンである。
【００７１】
ここで、統括制御用ＣＰＵ４６ａがセリフ予告演出の実行可否と、セリフ予告演出における枠Ｗの色の決定方法について説明する。
本実施形態では、統括制御用ＣＰＵ４６ａが、主制御用ＣＰＵ４５ａからの変動パターン指定コマンドを入力すると、乱数抽選によってセリフ予告演出を実行するか否かを選択するとともに、枠Ｗの色を選択する。本実施形態では、通常時（通常モードが設定されている時）には、統括制御用ＣＰＵ４６ａが、図８（ａ）に示すように、変動パターンに対応付けられた乱数の振り分けに基づいて、乱数抽選によって枠Ｗの色を選択する。具体的には、統括制御用ＣＰＵ４６ａは、変動パターン指定コマンドから特定される変動パターンが変動パターンＰ１であった場合、８００／１０００の確率で「なし」を選択する。また、２００／１０００の確率で枠Ｗの色を「白」とすることを選択する。ここで、「なし」とは、セリフ予告演出を実行しないということを示している。
【００７２】
図８（ａ）に示すように、セリフ予告演出が実行することのできない変動パターンであるＰ４，Ｐ７においては、１０００／１０００の確率、つまり、１００％の確率でセリフ予告演出を実行しないとするように、すべての乱数を「なし」に振り分けている。また、大当りとなるときにのみ、枠Ｗの色を「金」と選択されることがあるようにしている。具体的には、図８（ａ）に示すように、大当り演出用の変動パターンで、且つ、セリフ予告演出の実行可能な変動パターンである変動パターンＰ５，Ｐ６が決定された場合にのみ、統括制御用ＣＰＵ４６ａは、２／１０００の確率で枠Ｗの色を「金」と選択する。すなわち、大当りになることを認識できる枠Ｗの色を「金」とすることが選択される確率は、大当りになるときであっても極めて低く設定されている。
【００７３】
本実施形態では、通常モードとは異なるセリフコンプリートモード（特別モード）が設定されている場合、図８（ｂ）に示すように、大当りになるときには、セリフ予告演出の枠Ｗの色（演出内容）として「金」を選択しやすくなっている。なお、セリフコンプリートモードの設定方法については、後ほど詳しく説明する。
【００７４】
セリフコンプリートモードの設定中、統括制御用ＣＰＵ４６ａは、主制御用ＣＰＵ４５ａからの変動パターン指定コマンドより変動パターンＰ５が指定された場合、２／１０００の確率で枠Ｗの色を「白」とすることを選択する。一方、統括制御用ＣＰＵ４６ａは、２７６／１０００の確率で枠Ｗの色を「赤」とすることを選択し、７２２／１０００の確率で枠Ｗの色を「金」とすることを選択する。
【００７５】
ここで、通常モードが設定されている場合、変動パターン指定コマンドより変動パターンＰ５，Ｐ６が指定されているときには、図８（ａ）に示すように、１／５００の確率で枠Ｗの色を「金」とすることが選択される。一方、セリフコンプリートモードが設定されている場合、変動パターン指定コマンドより変動パターンＰ５，Ｐ６が指定されているときには、図８（ｂ）に示すように、３６１／５００の確率で枠Ｗの色を「金」とすることが選択される。よって、セリフコンプリートモードが設定されているときには、通常モードが設定されているときと比較して、３６１倍の確率で枠Ｗの色を「金」とすることが選択されるようになっている。すなわち、セリフコンプリートモードが設定されているときには、大当りになるとき、通常モードが設定されているときと比較して、枠Ｗの色を「金」とすることが選択される確率が大幅に高くなる。
【００７６】
また、統括制御用ＣＰＵ４６ａは、セリフ予告演出の実行を選択するとともに、枠Ｗの色を選択すると、演出表示制御基板４７、及び音声・ランプ制御基板４８に選択した枠Ｗの色を特定可能な枠色指定コマンドを出力する。なお、本実施形態における統括制御用ＣＰＵ４６ａが、予告演出決定手段、モード設定手段、及び予告判定手段として機能する。
【００７７】
次に、セリフ予告演出の実行に関する演出表示制御基板４７の処理について、説明する。
演出表示制御基板４７の表示制御用ＣＰＵ４７ａは、統括制御用ＣＰＵ４６ａからの枠色指定コマンドを入力すると、枠色指定コマンドより特定可能な枠Ｗの色に対応した色の枠Ｗを演出表示装置２８に表示させる。また、表示制御用ＣＰＵ４７ａは、枠色指定コマンドから特定可能な枠Ｗの色に対応するセリフ（文字）を吹き出しＦの表示領域に表示させるとともに、枠色指定コマンドから特定可能な枠Ｗの色に対応した人物Ｊの画像を演出表示装置２８に表示させる。
【００７８】
次に、本実施形態の予告演出の一種である一発確定演出について説明する。一発確定演出は、大当りになる場合に限り、図柄変動ゲームの実行中にスピーカ２０，２１，２５より、大当りになることを認識できる音声を出力する予告演出である。すなわち、大当りになるときにのみ実行され得る演出であり、はずれの場合には実行されない。すなわち、本実施形態では、一発確定演出を実行可能な変動パターンと、一発確定演出を実行することのできない変動パターンを備えている。具体的には、大当り演出用の変動パターンＰ５〜Ｐ７が一発確定演出を実行可能な変動パターンである。一方、はずれ演出用の変動パターンＰ１〜Ｐ４が、一発確定演出を実行することのできない変動パターンである。
【００７９】
そして、本実施形態における一発確定演出は、実行パターンを４種類備えている。具体的には、スピーカ２０，２１，２５から音声が出力（音声出力）されるタイミングが２種類ある。また、出力される音声の種類が２種類ある。図９に示すように、実行パターン１は、図柄変動ゲームの開始直後のタイミングで「大当り」と音声出力される実行パターンである。また、実行パターン２は、図柄変動ゲームの終了直前のタイミングで「大当り」と音声出力される実行パターンである一方、実行パターン３は、図柄変動ゲームの開始直後のタイミングで「勝利」と音声出力される実行パターンである。また、実行パターン４は、図柄変動ゲームの終了直前のタイミングで「勝利」と音声出力される実行パターンである。
【００８０】
ここで、統括制御用ＣＰＵ４６ａが一発確定演出の実行可否と、実行パターンの決定方法について説明する。
本実施形態では、統括制御用ＣＰＵ４６ａが、主制御用ＣＰＵ４５ａからの大当り演出用の変動パターン指定コマンドを入力すると、乱数抽選によって一発確定演出を実行するか否かを選択するとともに、一発確定演出の実行パターンを選択する。本実施形態では、通常時（通常モードが設定されている時）には、統括制御用ＣＰＵ４６ａが、図１０（ａ）に示すように、変動パターンに対応付けられた乱数の振り分けに基づいて、乱数抽選で実行パターンを選択する。具体的には、統括制御用ＣＰＵ４６ａは、変動パターン指定コマンドから特定される変動パターンが変動パターンＰ６であった場合、１８８５／２０００の確率で「なし」を選択する。また、統括制御用ＣＰＵ４６ａは、４５／２０００の確率で実行パターン１とすることを選択する一方、１０／２０００の確率で実行パターン２とすることを選択する。また、統括制御用ＣＰＵ４６ａは、５０／２０００の確率で実行パターン３とすることを選択する一方、１０／２０００の確率で実行パターン４とすることを選択する。ここで、「なし」とは、一発確定演出を実行しないということを示している。
【００８１】
図１０（ａ）に示すように、一発確定演出が実行することのできない変動パターン（はずれ演出用の変動パターン）である変動パターンＰ１〜Ｐ４おいては、２０００／２０００の確率、つまり、１００％の確率で一発確定演出を実行しないとするように、すべての乱数を「なし」に振り分けている。また、大当りとなるときにのみに実行される一発確定演出は、変動パターンＰ５が決定されたとき、４４／２０００（２．２％）の確率で実行される。また、変動パターンＰ６が決定されたとき、１１５／２０００（５．７５％）の確率で一発確定演出が実行される。また、変動パターンＰ７が決定されたとき、４５／２０００（２．２５％）の確率で一発確定演出が実行される。すなわち、大当りになることを認識できる一発確定演出を実行することが選択される確率は、極めて困難な設定としている。
【００８２】
本実施形態では、通常モードとは異なる一発確定モード（特別モード）が設定されている場合、図１０（ｂ）に示すように、大当りになるときには、一発確定演出が実行されることを選択しやすくなっている。なお、一発確定モードの設定方法については、後ほど詳しく説明する。
【００８３】
一発確定モードが設定されている場合、統括制御用ＣＰＵ４６ａは、主制御用ＣＰＵ４５ａからの変動パターン指定コマンドより指定された変動パターンが変動パターンＰ６であった場合、４００／２０００の確率で実行パターン１を選択する。また、６００／２０００の確率で実行パターン２を選択し、４００／２０００の確率で実行パターン３を選択する。また、６００／２０００の確率で実行パターン４を選択する。したがって、一発確定モードが設定されているときには、「なし」が選択されないことから、大当りの場合、必ず（１００％）一発確定演出が実行されることとなる。つまり、一発確定モードが設定されている場合に、大当りとなる図柄変動ゲーム中に、強制的に一発確定演出が実行されるようになっている。すなわち、一発確定モードが設定されているときには、通常モードが設定されているときと比較して、大当りのとき、一発確定演出が実行される確率が大幅に高くなる。
【００８４】
そして、統括制御用ＣＰＵ４６ａは、一発確定演出を実行することを選択するとともに、実行パターンを選択すると、音声・ランプ制御基板４８に、選択した実行パターンを特定可能な確定パターン指定コマンドを出力する。
【００８５】
次に、一発確定演出の実行に関する音声・ランプ制御基板４８の処理について、説明する。
音声・ランプ制御基板４８の音声・ランプ制御用ＣＰＵ（図３に図示しない）は、統括制御用ＣＰＵ４６ａからの確定パターン指定コマンドを入力すると、確定パターン指定コマンドより特定可能な実行パターンに対応したタイミングで、実行パターンより特定可能な音声内容をスピーカ２０，２１，２５に音声出力させる。
【００８６】
次に、本実施形態の予告演出の一種である家紋予告演出について説明する。なお、家紋予告演出は、家紋の画像が演出表示装置２８に表示されるような演出態様の予告演出である。
【００８７】
家紋予告演出は、本実施形態において、通常モードが設定されているとき、はずれの場合であっても実行される。具体的に、家紋予告演出は、はずれのときに実行されにくく、大当りのときに実行されやすく設定されており、通常モードが設定されているときには大当り期待度の高い予告演出となる。
【００８８】
ここで、統括制御用ＣＰＵ４６ａが家紋予告演出の実行可否の決定方法について説明する。
本実施形態では、統括制御用ＣＰＵ４６ａが、主制御用ＣＰＵ４５ａからの変動パターン指定コマンドを入力すると、乱数抽選によって家紋予告演出を実行するか否かを選択する。本実施形態では、通常時（通常モードが設定されている時）には、統括制御用ＣＰＵ４６ａが、図１１（ａ）に示すように、変動パターンに対応付けられた振分に基づいて、乱数抽選で家紋予告演出を実行するか否かを決定する。具体的には、統括制御用ＣＰＵ４６ａは、変動パターン指定コマンドから特定される変動パターンが変動パターンＰ５であった場合、１５０／２００の確率で「なし」を選択する。また、統括制御用ＣＰＵ４６ａは、５０／２００の確率で「あり」を選択する。ここで、「なし」とは、家紋予告演出を実行しないということを示し、「あり」とは、家紋予告演出を実行することを示している。
【００８９】
図１１（ａ）に示すように、通常モードが設定されているとき、はずれとなる図柄変動ゲームでは、家紋予告演出が実行されると選択される確率は低く設定されている。一方、大当りとなる図柄変動ゲームでは、家紋予告演出が実行されると選択される確率は高く設定されている。よって、通常モードが設定されているとき、家紋予告演出は大当り期待度が高い予告演出である。また、はずれ演出用の変動パターンＰ１〜Ｐ４が決定された場合であっても、家紋予告演出が実行することを選択される。すなわち、通常モードが設定されているときに、家紋予告演出が実行された場合であっても大当りとなるとは限らない。
【００９０】
本実施形態では、通常モードとは異なるプレミア化モード（予告変化モード）が設定されている場合、図１１（ｂ）に示すように、大当りになるときにのみ家紋予告演出が実行されることが選択され得るようになっている。なお、プレミア化モードの設定方法については、後ほど詳しく説明する。
【００９１】
プレミア化モードが設定されている場合、統括制御用ＣＰＵ４６ａは、主制御用ＣＰＵ４５ａからの変動パターン指定コマンドより指定された変動パターンが変動パターンＰ５であった場合、５／２００の確率で「なし」を選択する。また、統括制御用ＣＰＵ４６ａは、１９５／２００の確率で「あり」を選択する。
【００９２】
すなわち、プレミア化モードが設定されているときには、通常モードが設定されているときと比較して、大当りのときに、家紋予告演出を実行すると選択とされる確率が大幅に高くなる。また、はずれになる場合（変動パターンＰ１〜Ｐ４が決定された場合）には、図１１（ｂ）に示すように、家紋予告演出が実行すること（「あり」）が選択されない。すなわち、プレミア化モードが設定されているときには、家紋予告演出は、大当りになることを認識することのできる予告演出、つまり、大当り確定の予告演出となる。
【００９３】
また、統括制御用ＣＰＵ４６ａは、家紋予告演出を実行することを選択すると、演出表示制御基板４７、及び音声・ランプ制御基板４８に家紋予告演出の実行することを認識可能な家紋実行指定コマンドを出力する。
【００９４】
次に、家紋予告演出の実行に関する演出表示制御基板４７の処理について、説明する。演出表示制御基板４７の表示制御用ＣＰＵ４７ａは、統括制御用ＣＰＵ４６ａからの家紋実行指定コマンドを入力すると、家紋の画像を演出表示装置２８に表示させる。
【００９５】
本実施形態では、通常モード、セリフコンプリートモード、一発確定モード、及びプレミア化モードのうち、何れかのモードをデモンストレーション演出中に設定することができる。
【００９６】
本実施形態では、主制御用ＣＰＵ４５ａによってデモンストレーション指定コマンドが出力された場合（図６を参照）、演出表示装置２８において、デモンストレーション演出が表示される。なお、本実施形態では、１回のデモンストレーション指定コマンドに基づいて、所定時間（３００００ｍｓ）のデモンストレーション演出が表示される。
【００９７】
統括制御用ＣＰＵ４６ａは、図６のステップＳ２３において主制御用ＣＰＵ４５ａが出力したデモンストレーション指定コマンドを入力すると、デモンストレーション演出を実行中であることを示すデモ情報を統括制御用ＲＡＭ４６ｃに記憶させる。それとともに、統括制御用ＣＰＵ４６ａは、デモンストレーション指定コマンドを入力すると、統括制御用デモタイマにて時間を計測する。統括制御用ＲＡＭ４６ｃに記憶されるデモ情報は、主制御用ＲＡＭ４５ｃに記憶されるデモ情報がクリアされたことを契機に、統括制御用ＣＰＵ４６ａによってクリアされる。
【００９８】
ここで、デモンストレーション演出中のモード設定の方法について、図１２に基づいて説明する。図１２に示すモード設定処理は、統括制御用ＣＰＵ４６ａが実行する。なお、統括制御用ＣＰＵ４６ａは、デモンストレーション演出中、モード設定処理を所定周期毎（本実施形態では、４ｍｓ毎）に実行するようになっている。
【００９９】
統括制御用ＣＰＵ４６ａは、統括制御用デモタイマが所定時間（３００００ｍｓ）経過したか否かを判定する（ステップＳ３１）。また、ステップＳ３１の判定結果が否定の場合、つまり、デモンストレーション演出が開始（デモンストレーション指定コマンドを入力）してから所定時間が経過していなかった場合、統括制御用ＣＰＵ４６ａは、演出ボタン７０が押下操作されたか否かを判定する（ステップＳ３２）。ステップＳ３２の判定結果が肯定の場合、統括制御用ＣＰＵ４６ａは、演出ボタン７０が押下操作され続けている時間（長押し時間）を示す操作タイマが時間を計測しているか否かを判定する（ステップＳ３３）。
【０１００】
ステップＳ３３の判定結果が否定の場合、つまり、操作タイマが時間を計測していない場合、統括制御用ＣＰＵ４６ａは、統括制御用ＲＡＭ４６ｃに、演出ボタン７０が押下操作された回数を示す操作回数に「１」を加算して書き換え、統括制御用ＲＡＭ４６ｃの所定の記憶領域に記憶させる（ステップＳ３４）。そして、統括制御用ＣＰＵ４６ａは、演出ボタン７０が操作され続けた時間、つまり、長押し時間を計測する操作タイマにて時間を計測する（ステップＳ３５）。そして、統括制御用ＣＰＵ４６ａは、モード設定処理を終了する。
【０１０１】
一方、ステップＳ３３の判定結果が肯定の場合、つまり、操作タイマが時間を計測している（演出ボタン７０が長押しされている）場合、統括制御用ＣＰＵ４６ａは、操作タイマが計測している時間が３秒（３０００ｍｓ）以上か否かを判定する（ステップＳ３６）。ステップＳ３６の判定結果が肯定の場合、つまり、演出ボタン７０が３秒以上長押しされている場合、統括制御用ＣＰＵ４６ａは、統括制御用ＲＡＭ４６ｃに記憶されている操作回数が「４」と一致する否かを判定する（ステップＳ３７）。また、ステップＳ３７の判定結果が肯定の場合、つまり、統括制御用ＲＡＭ４６ｃに記憶されている操作回数が「４」の場合、統括制御用ＣＰＵ４６ａは、セリフコンプリートモードを設定する（ステップＳ３８）。具体的には、統括制御用ＣＰＵ４６ａは、セリフコンプリートモードが設定されていることを示すモード情報を統括制御用ＲＡＭ４６ｃの所定の記憶領域に記憶させる。そして、統括制御用ＣＰＵ４６ａは、モード設定処理を終了する。
【０１０２】
また、ステップＳ３７の判定結果が否定の場合、つまり、操作回数が「４」でない（操作回数≠４）場合、統括制御用ＣＰＵ４６ａは、統括制御用ＲＡＭ４６ｃに記憶されている操作回数が「５」と一致するか否かの判定を行う（ステップＳ３９）。また、ステップＳ３９の判定結果が肯定の場合、つまり、統括制御用ＲＡＭ４６ｃに記憶されている操作回数が「５」の場合、統括制御用ＣＰＵ４６ａは、一発確定モードを設定する（ステップＳ４０）。具体的には、統括制御用ＣＰＵ４６ａは、一発確定モードが設定されていることを示すモード情報を統括制御用ＲＡＭ４６ｃの所定の記憶領域に記憶させる。そして、統括制御用ＣＰＵ４６ａは、モード設定処理を終了する。
【０１０３】
また、ステップＳ３９の判定結果が否定の場合、つまり、操作回数が「５」でない（操作回数≠４，５）場合、統括制御用ＣＰＵ４６ａは、統括制御用ＲＡＭ４６ｃに記憶されている操作回数が「６」と一致するか否かの判定を行う（ステップＳ４１）。また、ステップＳ４１の判定結果が肯定の場合、つまり、統括制御用ＲＡＭ４６ｃに記憶されている操作回数が「６」の場合、統括制御用ＣＰＵ４６ａは、プレミア化モードを設定する（ステップＳ４２）。具体的には、統括制御用ＣＰＵ４６ａは、プレミア化モードが設定されていることを示すモード情報を統括制御用ＲＡＭ４６ｃの所定の記憶領域に記憶させる。そして、モード設定処理を終了する。また、ステップＳ４１の判定結果が否定の場合、つまり、操作回数が「６」でない（操作回数≠４，５，６）場合、統括制御用ＣＰＵ４６ａは、モード設定処理を終了する。
【０１０４】
一方、ステップＳ３１の判定結果が肯定の場合、つまり、統括制御用デモタイマが計測する時間が所定時間を経過していた（デモンストレーション演出終了）場合、統括制御用ＣＰＵ４６ａは、通常モードを設定する（ステップＳ４３）。具体的には、統括制御用ＣＰＵ４６ａは、通常モードが設定されていることを示すモード情報を統括制御用ＲＡＭ４６ｃの所定の記憶領域に記憶させる。また、統括制御用ＣＰＵ４６ａは、操作タイマによる時間の計測を停止させるとともに、リセットする（ステップＳ４４）。そして、統括制御用ＣＰＵ４６ａは、モード設定処理を終了する。
【０１０５】
また、ステップＳ３２の判定結果が否定の場合、つまり、演出ボタン７０が押下操作されていない場合、統括制御用ＣＰＵ４６ａは、操作タイマを停止させるとともに、リセットする（ステップＳ４４）。そして、統括制御用ＣＰＵ４６ａは、モード設定処理を終了する。
【０１０６】
ここで、デモンストレーション演出が開始してから、通常モードを除く３種のモードを設定する際の演出ボタン７０の操作態様について、図１３に基づいて説明する。なお、図１３では、デモンストレーション演出の開始を「デモ開始」と示し、デモンストレーション演出の終了を「デモ終了」と示す。
【０１０７】
図１３（ａ）は、セリフコンプリートモードを設定する際の演出ボタン７０の操作態様を示している。図１３（ａ）に示すように、デモンストレーション演出が開始してから、終了するまでの間（３００００ｍｓ）に行う。演出ボタン７０を押下操作し続ける時間は関係なく、３回の操作を行う。その後、演出ボタン７０を、４回目の操作で３秒以上長押しする（押下操作し続ける）ことにより、セリフコンプリートモードが設定される。
【０１０８】
また、図１３（ｂ）は、一発確定モードを設定する際の演出ボタン７０の操作態様を示している。図１３（ｂ）に示す操作態様を、デモンストレーション演出が開始してから終了するまでの間（３００００ｍｓ）に行う。具体的には、演出ボタン７０を押下操作し続ける時間は関係なく、４回の操作を行う。その後、演出ボタン７０を、５回目の操作で３秒以上長押しすることにより、一発確定モードが設定される。
【０１０９】
また、図１３（ｃ）は、プレミア化モードを設定する際の演出ボタン７０の操作態様を示している。図１３（ｃ）に示す操作態様を、デモンストレーション演出が開始してから終了するまでの間（３００００ｍｓ）に行う。具体的には、演出ボタン７０を押下操作し続ける時間は関係なく、５回の操作を行う。その後、演出ボタン７０を、６回目の操作で３秒以上長押しすることにより、プレミア化モードが設定される。
【０１１０】
すなわち、セリフコンプリートモードが設定された次に演出ボタン７０を３秒以上の長押しした場合には、一発確定モードが設定される。同様に、セリフコンプリートモードが設定されてから２回目の演出ボタン７０を３秒以上の長押しした場合には、プレミア化モードが設定される。すなわち、本実施形態では、演出ボタン７０の操作回数に各種モードが対応付けられており、演出ボタン７０を３秒以上長押しすることがモードを設定する操作態様としている。
【０１１１】
次に、デモンストレーション演出が開始してからのモードの設定について図１４に基づいて説明する。なお、図１４では、デモンストレーション演出の開始を「デモ開始」と示し、デモンストレーション演出の終了を「デモ終了」と示す。
【０１１２】
図１４（ａ）のタイミングｔ１において、図柄変動ゲームが終了し、デモンストレーション演出が開始される。そして、タイミングｔ２からタイミングｔ３の間で、通常モードとは異なるモードが設定される。ここでは、セリフコンプリートモードが設定されたものとする。そして、図柄変動ゲームが開始されないと、タイミングｔ１から所定時間（本実施形態では、３００００ｍｓ）経過するタイミングｔ４において通常モードが設定される。
【０１１３】
図１４（ｂ）のタイミングｔ１１において、図柄変動ゲームが終了し、デモンストレーション演出が開始される。そして、タイミングｔ１２からタイミングｔ１３の間で、通常モードとは異なるモードが設定される。ここでは、一発確定モードが設定されたものとする。そして、タイミングｔ１４において、遊技球が上始動入賞口３３又は下始動入賞口３４に入賞し、上始動口スイッチＳＷ１又は下始動口スイッチＳＷ２によって入賞検知されたとする。すると、デモンストレーション演出は中断され、タイミングｔ１４から図柄変動ゲームが開始される。なお、この入賞検知を契機に実行される図柄変動ゲームは、はずれであったものとする。そして、タイミングｔ１４から開始された図柄変動ゲームがタイミングｔ１５で終了すると、デモンストレーション演出が開始される。なお、この時点において、設定されているモードは、タイミングｔ１２からタイミングｔ１３において設定された一発確定モードである。そして、タイミングｔ１５から所定時間（３００００ｍｓ）が経過するタイミングｔ１６において、デモンストレーション演出が終了するとともに、通常モードが設定される。
【０１１４】
図１４（ｃ）のタイミングｔ２１において、図柄変動ゲームが終了し、デモンストレーション演出が開始される。そして、タイミングｔ２２からタイミングｔ２３の間で、通常モードとは異なるモードが設定される。ここでは、プレミア化モードが設定されたものとする。そして、タイミングｔ２４において、遊技球が上始動入賞口３３又は下始動入賞口３４に入賞し、上始動口スイッチＳＷ１又は下始動口スイッチＳＷ２によって入賞検知されたとする。すると、デモンストレーション演出は中断され、タイミングｔ２４から図柄変動ゲームが開始される。なお、この入賞検知を契機に実行される図柄変動ゲームは、はずれであったものとする。また、タイミングｔ２４から開始された図柄変動ゲームの実行中のタイミングｔ２５において、遊技球が上始動入賞口３３又は下始動入賞口３４に入賞し、上始動口スイッチＳＷ１又は下始動口スイッチＳＷ２によって入賞検知されたとする。すると、タイミングｔ２５において１回の図柄変動ゲームが保留される。また、タイミングｔ２６において、タイミングｔ２４から開始された図柄変動ゲームが終了すると、タイミングｔ２５に保留された図柄変動ゲームが実行される。
【０１１５】
すなわち、デモンストレーション演出中に演出モードを設定して、デモンストレーション演出が終了するまでに図柄変動ゲームが実行されるようにしなければ、デモンストレーション演出の終了とともに、通常モードが設定される。よって、通常モード以外のモードを設定した後、引き続き当該設定したモードで遊技を続ける場合には、モードを設定されてからデモンストレーション演出が終了されるまでに始動入賞口３３，３４に遊技球を入賞させる必要がある。また、遊技者が遊技を終了してから所定時間（３００００ｍｓ）経過することで、必ず通常モードが設定される。これにより、他の遊技者が設定したモードを引き継いで遊技を行うことがなく、自らが遊技を行いたいモードを、自ら設定することができる。
【０１１６】
以上詳述したように、本実施形態は、以下の効果を有する。
（１）大当りのときにしか実行されない大当り確定の予告演出と、大当りとはずれのときに実行される予告演出を備えた。また、大当りのときに大当り確定の予告演出が実行される確率が低い通常モードと、大当りのときに大当り確定の予告演出が実行される確率が高いモード（セリフコンプリートモード、一発確定モード）備えた。そして、遊技者が操作可能な演出ボタン７０を操作することで、通常モード、セリフコンプリートモード、及び一発確定モードのうち何れかを設定できるようにした。このようにすることで、大当り確定の予告演出を体験したいと考える遊技者は、演出ボタン７０を操作することにより、大当り確定の予告演出が実行されやすいモード（セリフコンプリートモード又は一発確定モード）を設定することができる。つまり、遊技者は、大当りのとき大当り確定の予告演出を自らの意思で出やすくすることができる。
【０１１７】
（２）セリフ予告演出を実行するか否かを乱数抽選において判定するようにした。そして、セリフコンプリートモードが設定されているときには、通常モードが設定されているときと比較して、高確率でセリフ予告演出を実行する。よって、セリフコンプリートモードが設定されているときには、通常モードが設定されているときよりもセリフ予告演出が実行される機会が増える。すなわち、大当り確定の予告演出（枠Ｗの色が「金」のセリフ予告演出）が実行される機会も高めることができる。
【０１１８】
（３）一発確定モードが設定されているときには、大当りになる図柄変動ゲームで必ず（強制的に）一発確定演出を実行することを決定するようにした。これにより、大当りのときには、大当り確定の予告演出（一発確定演出）を確実に見ることができる。
【０１１９】
（４）図柄変動ゲームが実行されていないデモンストレーション演出中に各種モードを設定するようにした。このようにすることで、遊技を行う前に、モードを設定することができる。すなわち、１回目の図柄変動ゲームから、遊技者の好みに合わせたモードで遊技を行うことができる。
【０１２０】
（５）遊技者によって、大当り確定の予告演出を体験したいと考える遊技者と、そうは考えない遊技者がいる。そこで、図柄変動ゲームの終了後、デモンストレーション演出が実行されてから所定時間（３００００ｍｓ）経過するまでに図柄変動ゲームが実行されない場合、通常モードを設定するようにした。このようにすることで、モード（例えば、一発確定モード）を設定して遊技を行っていた遊技者が、遊技をやめた後、次に遊技を行う遊技者が前の遊技者が設定したモードで遊技を行うことがなくなる。すなわち、前の遊技者が自らの好みに合わせて設定されたモードで、他の遊技者が遊技を行うことを防ぐことができる。
【０１２１】
（６）モードを通常モード、セリフコンプリートモード、及び一発確定モードの複数種類を備えている。そして、演出ボタン７０の操作された操作態様に基づいて、特別モードを設定する。このようにすることで、遊技者の好みに合わせた大当り確定の予告演出が決定される確率を、遊技者自ら演出ボタン７０を操作することで設定できるようにした。
【０１２２】
（７）演出ボタン７０を長押しすることを契機にモードが設定されるため、演出ボタン７０を適当に叩いた（押下操作する）だけでは設定されない。よって、遊技者の意思とは別に、モードが勝手に設定されてしまうことを防ぐとともに、自らの意思でないとモードを設定できないようにした。
【０１２３】
（８）演出ボタン７０の操作回数に対応したモードが設定されるようにした。よって、演出ボタン７０に触れてしまったような場合にモードが設定されないようにした。また、遊技者が自らの意思でモードを設定できる。
【０１２４】
（９）通常モードでは、はずれになる場合もある予告演出として実行される家紋予告演出を、プレミア化モードが設定されているときには、大当りになるときにのみ実行される大当り確定の予告演出とする。そして、遊技者が演出ボタン７０を操作することにより、プレミア化モードを設定できるようにすることで、遊技者自らそれを選択できる。
【０１２５】
（１０）通常時には、大当り期待度を高く設定した家紋予告演出を、プレミア化モードでは大当り確定の予告演出とした。通常モード時では、大当り期待度の高く設定された家紋予告演出が実行されても、はずれとなる場合がある。このとき、はずれになることが不快と考える遊技者は、自らプレミア化モードを設定して、大当り信頼度の高い家紋予告演出を必ず大当りになる大当り確定の予告演出とすることができる。
【０１２６】
（１１）セリフ予告演出を実行可能な変動パターン（例えば、変動パターンＰ６）と、セリフ予告演出を実行することのできない変動パターン（例えば、変動パターンＰ７）を備えた。これらを備えることにより、図柄変動ゲームの演出内容でセリフ予告演出が実行されない場合であっても、大当りになることを期待することができる。
【０１２７】
（１２）一発確定演出が実行されるタイミングを図柄変動ゲームの開始直後の他に、図柄変動ゲームの終了直前とした。このようにすることで、一発確定モードが設定されている場合であっても、図柄変動ゲームの終了直前まで大当りになるか否か、つまり、一発確定演出が実行されるか否かを期待することができる。
【０１２８】
（１３）プレミア化モードが設定されている場合、大当りになるときに家紋予告演出を必ず実行するようにしなかった。このようにすることで、家紋予告演出が実行されなかった場合でも、大当りへの期待感を持つことができる。
【０１２９】
（１４）デモンストレーション演出の終了を契機に設定されるモードを通常モードとするようにした。このようにすることで、通常モード以外のモードを設定した遊技者はデモンストレーション演出が実行されないために、図柄変動ゲームを続けて実行させようと遊技盤ＹＢに向かって遊技球を打つこととなる。これにより、遊技の効率化を図ることができる。
【０１３０】
（１５）スピーカ２０，２１，２５において、一発確定演出を実行させるようにした。このようにすることで、通常モードで遊技を行っている場合よりも、スピーカ２０，２１，２５から出力される音声に集中させることができる。
【０１３１】
尚、上記実施形態は、次のような別の実施形態（別例）にて具体化できる。
・上記実施形態において、ラウンド遊技の規定ラウンド数、大入賞口４１の１回の開閉動作に係る時間、ラウンド遊技時間を変更しても良い。
【０１３２】
・上記実施形態は、特別図柄と飾り図柄を用いるパチンコ遊技機１０に具体化したが、特別図柄のみを用いるパチンコ遊技機に具体化しても良い。
・上記実施形態において、サブ統括制御基板４６を省略し、主制御基板４５から直接、開放コマンドや閉鎖コマンドなどの大当り遊技に係るコマンドを演出表示制御基板４７及び音声・ランプ制御基板４８に出力するようにしても良い。
【０１３３】
・上記実施形態において、大当り遊技の種類は、任意に変更しても良い。例えば、大当り遊技の規定ラウンド数や、入球上限個数を変更しても良い。また、大入賞口４１の開閉動作回数を変更しても良い。例えば、１回のラウンド遊技中に大入賞口４１を３回、開閉動作させるようにしても良い。
【０１３４】
・上記実施形態では、演出表示装置２８を液晶式としたが、ドットマトリクス式や７セグメントＬＥＤ式の演出表示装置としても良いし、ドラム式などの機械式の演出表示装置としても良い。
【０１３５】
・上記実施形態において、セリフ予告演出を実行することのできない変動パターン（変動パターンＰ４，Ｐ７）を備えたが、備えなくても良い。また、セリフコンプリートモードが設定されているときには、セリフ予告演出が実行することのできない変動パターンを決定しない、又は決定する確率を通常モードが設定されているときより低く設定しても良い。
【０１３６】
・上記実施形態において、演出ボタン７０を押しボタン式としたが、遊技者が操作可能なものであれば良い。例えば、タッチセンサを備え、タッチした回数（タッチセンサが感知した回数）を、本実施形態でいう演出ボタン７０の操作回数としても良い。
【０１３７】
・上記実施形態において、演出ボタン７０の操作有効期間をデモンストレーション演出中としたがそのようにしなくても良い。例えば、デモンストレーション演出中の一部期間としても良い。また、デモンストレーション演出中に限らなくても良い。例えば、演出ボタン７０が５秒間長押しされたことを契機にセリフコンプリートモードを設定し、演出ボタン７０が１０秒間長押しされたことを契機に一発確定モードを設定するようにしても良い。
【０１３８】
・上記実施形態において、演出ボタン７０の操作回数に対応してモードを設定するようにしたが、演出ボタン７０が長押しされた時間にそれぞれのモードを対応付けても良い。
・上記実施形態において、例えば、セリフコンプリートモードを設定する際には演出ボタン７０を「４回」押下操作する必要があったが、何回としても良い。例えば、１回や５回、１０回としても良い。但し、予め決められた設定可能時間内（上記実施形態では、３００００ｍｓ内）に操作可能な回数でなければならない。
【０１３９】
・上記実施形態において、セリフ予告演出の演出内容を決定するための乱数抽選で使用する乱数の数を１０００とし、一発確定演出の演出内容を決定するための乱数抽選で使用する乱数の数を２０００としたが、同じ数の乱数を用いて抽選を行っても良い。また、例えば、通常モード時と一発確定モード時の乱数抽選で使用する乱数の数を同一としたが、異ならせても良い。
【０１４０】
・上記実施形態において、セリフ予告演出の演出態様を図７に示す演出態様としたが、それに限る必要はない。但し、大当り確定の演出内容と、大当り確定でない演出内容を備える必要がある。
【０１４１】
・上記実施形態において、モードを設定する際の演出ボタン７０の長押し時間を３秒（３０００ｍｓ）としたが、何秒にしても良い。例えば、１秒や５秒、１２秒としても良い。但し、デモンストレーション演出の時間、つまり、モードを設定可能な時間よりも長い時間に設定してはならない。
【０１４２】
・上記実施形態において、一発確定演出が実行されるタイミングを図柄変動ゲームの開始直後と、図柄変動ゲームの終了直前としたが、図柄変動ゲーム中であればいつでも良い。例えば、リーチ演出が実行されるタイミングや、第１停止図柄列の図柄が停止するタイミングとしても良い。
【０１４３】
・上記実施形態において、一発確定演出を１回の図柄変動ゲームで何回実行しても良いし、出力する音声内容を変更しても良い。例えば、図柄変動ゲーム開始直後に「大当り」と音声出力した後、当該図柄変動ゲームの終了直前に「勝利」と音声出力するようにしても良い。
【０１４４】
・上記実施形態において、プレミア化モードが設定されているときに大当り確定の予告演出とする予告演出を、通常モード設定時において大当り信頼度の高い予告演出としたがそのようにしなくても良い。例えば、通常モード設定時において大当り期待度の低い予告演出をプレミア化モード設定時の大当り確定の予告演出としても良い。
【０１４５】
・上記実施形態において、プレミア化モード設定時おける大当り確定の予告演出を予め決められた家紋予告演出としたが、大当り確定の予告演出を遊技者が選択することのできるようにしても良い。
【０１４６】
・上記実施形態において、通常モードと３種類のモードを備えたが、通常モードとどれか１又は２としても良い。但し、遊技者が通常モードと、通常モード以外のモードのうち、自らの好みに合わせたモードを自ら設定できれば良い。
【０１４７】
・上記実施形態において、大当り確定の予告演出を演出表示装置２８又はスピーカ２０，２１，２５にて実行したが、そのようにしなくても良い。例えば、上側枠用ランプ部１７が「赤色」に点灯する演出を大当り確定の予告演出としても良い。
【０１４８】
・上記実施形態において、一発確定演出の実行パターンを実行パターン１から実行パターン４としたが、そのようにしなくても良い。例えば、実行パターンを１種類として、図１０では一発確定演出の実行可否を判定するようにしても良い。また、実行パターンの種類を増やしても良い。
【０１４９】
・上記実施形態において、通常モード以外のモードが設定された時点（図１２のステップＳ３８，Ｓ４０，Ｓ４２）で、設定されたことを遊技者に報知するようにしても良い。例えば、図１２のＳ３８においてセリフコンプリートモードが設定されたときに、セリフコンプリートモードに関係する音声（例えば、セリフ予告演出実行時の音声）をスピーカ２０，２１，２５から出力しても良い。
【０１５０】
・上記実施形態において、大当り確定の演出を予告演出に限定したが、リーチ演出としても良い。但し、通常モード以外のモードが設定されているときには、通常モードが設定されているときよりも高確率で大当り確定のリーチ演出が実行されるようにしなくてはならない。
【０１５１】
次に、上記実施形態及び別例から把握できる技術的思想を以下に追記する。
（イ）前記モード設定手段は、前記大当り判定手段の判定結果が肯定の場合における前記特別予告演出の実行確率が異なる複数種類の特別モードの中から、前記演出用操作手段が操作された操作態様に基づいて特別モードを設定する。
【０１５２】
（ロ）前記モード設定手段は、前記演出用操作手段が押下操作された時間が所定時間を経過したことを契機に特別モードを設定する。
【０１５３】
（ハ）前記モード設定手段は、前記演出用操作手段が操作された回数が所定回数になったことを契機に特別モードを設定する。
【符号の説明】
【０１５４】
１０…パチンコ遊技機、２８…演出表示装置、４１…大入賞口、４５…主制御基板、４５ａ…主制御用ＣＰＵ、４５ｂ…主制御用ＲＯＭ、４５ｃ…主制御用ＲＡＭ、４６…サブ統括制御基板、４６ａ…統括制御用ＣＰＵ、４６ｂ…統括制御用ＲＯＭ、４６ｃ…統括制御用ＲＡＭ、４７…演出表示制御基板、４７ａ…表示制御用ＣＰＵ、４７ｂ…表示制御用ＲＯＭ、４７ｃ…表示制御用ＲＡＭ、７０…演出ボタン。
【図１】
0005486934.tif 000002
【図２】
0005486934.tif 000003
【図３】
0005486934.tif 000004
【図４】
0005486934.tif 000005
【図５】
0005486934.tif 000006
【図６】
0005486934.tif 000007
【図７】
0005486934.tif 000008
【図８】
0005486934.tif 000009
【図９】
0005486934.tif 000010
【図１０】
0005486934.tif 000011
【図１１】
0005486934.tif 000012
【図１２】
0005486934.tif 000013
【図１３】
0005486934.tif 000014
【図１４】
0005486934.tif 000015